(57)【特許請求の範囲】
【請求項１】
不純物を含む被処理水内に配置される攪拌羽根を備え、上記攪拌羽根を回転して上記被処理水を攪拌する攪拌装置において、
上記攪拌羽根に取り付けられて水圧モータで回転駆動される回転体を備え、
上記回転体は、上記被処理水を収容する攪拌槽内に上記不純物が沈殿し堆積してできた固着物を粉砕可能であることを特徴とする攪拌装置。
【請求項２】
不純物を含む被処理水内に配置される攪拌羽根を備え、上記攪拌羽根を回転して上記被処理水を攪拌する攪拌装置において、
上記攪拌羽根に取り付けられて水圧モータで回転駆動される回転体を備え、
上記回転体は、上記水圧モータの出力軸に連結される回転軸と、上記回転軸の端部に取り付けられるヘッド部とを備えており、上記ヘッド部が上記攪拌羽根の進行方向を向くように配置されることを特徴とする攪拌装置。
【請求項３】
上記ヘッド部が上記回転軸から放射状に延びる複数の補強板と、環状に形成されて内側に上記回転軸が貫通するとともに上記各補強板の反回転軸側端部に連結される環状板と、上記環状板から上記回転軸の尖端にかけて斜めに配置される複数の傾斜板とからなり、
上記各傾斜板において、上記攪拌羽根の進行方向及び反進行方向側の面よりも、上記回転体の回転方向及び反回転方向側の面の方が広く設定されることを特徴とする請求項２に記載の攪拌装置。
【発明の詳細な説明】
【技術分野】
【０００１】
本発明は、攪拌装置の改良に関し、特に、被処理水内の不純物の沈殿及び固着を抑制する攪拌装置に関するものである。
【背景技術】
【０００２】
一般的に、攪拌装置は、被処理水内に配置される攪拌羽根を回転させることにより発生する水流を利用して被処理水を攪拌するものである。
【０００３】
例えば、特許文献１〜３に記載の攪拌装置は、下水を浄化する工程において利用され、土砂や汚泥などの不純物が含まれた被処理水に凝集剤や殺菌剤などの薬剤を混ぜ合わせ、被処理水の凝集や殺菌処理を行っている。
【先行技術文献】
【特許文献】
【０００４】
【特許文献１】特開２００６−３２６３７７号公報
【特許文献２】特開２００６−３２６３７８号公報
【特許文献３】特開２００６−３２０７８９号公報
【発明の概要】
【発明が解決しようとする課題】
【０００５】
しかしながら、上記従来の攪拌装置において、土砂や汚泥などの不純物が攪拌槽内に沈殿し堆積して固着物が形成されると、この固着物が攪拌羽根の回転の妨げとなり浚渫作業が必要となる。
【０００６】
そこで、本発明の目的は、従来よりも確実に被処理水を攪拌して不純物の沈殿及び固着を抑制することが可能な攪拌装置を提供することである。
【課題を解決するための手段】
【０００７】
上記課題を解決するための手段は、不純物を含む被処理水内に配置される攪拌羽根を備え、上記攪拌羽根を回転して上記被処理水を攪拌する攪拌装置において、上記攪拌羽根に取り付けられて水圧モータで回転駆動される回転体を備え、上記回転体は、上記被処理水を収容する攪拌槽内に上記不純物が沈殿し堆積してできた固着物を粉砕可能であるものであるか又は、上記水圧モータの出力軸に連結される回転軸と、上記回転軸の端部に取り付けられるヘッド部とを備えており、上記ヘッド部が上記攪拌羽根の進行方向を向くように配置されるものであることを特徴とする。
【発明の効果】
【０００８】
本発明によれば、攪拌羽根に取り付けられた回転体を備えることにより、従来よりも確実に被処理水を攪拌して不純物の沈殿及び固着を抑制することが可能となる。
【図面の簡単な説明】
【０００９】
【図１】本発明の一実施の形態に係る攪拌装置の取り付け状態を示す平面図である。
【図２】図１の一部を拡大し、部分的に切り欠いて示す平面図である。
【図３】本発明の一実施の形態に係る攪拌装置の回転体を拡大して示す斜視図である。
【発明を実施するための形態】
【００１０】
以下に本発明の一実施の形態を示す攪拌装置について、図面を参照しながら説明する。いくつかの図面を通して付された同じ符号は、同じ部品を示す。
【００１１】
図１に示すように、本実施の形態に係る攪拌装置は、不純物を含む被処理水内に配置される攪拌羽根１を備え、この攪拌羽根１を回転して上記被処理水を攪拌するものであり、上記攪拌羽根１に取り付けられて水圧モータ２で回転駆動される回転体３を備えている。
【００１２】
また、本実施の形態に係る攪拌装置は、河川から取り入れた原水や、家庭用及び工業用の下水など、土砂や汚泥などの不純物が含まれた被処理水を浄化する工程において、被処理水を攪拌するために利用されている。
【００１３】
以下、本実施の形態に係る攪拌装置について詳細に説明すると、攪拌装置は、被処理水を収容する攪拌槽Ａに取り付けられており、攪拌槽Ａの略中心に起立して図示しない駆動源からの電気エネルギの入力により回転する駆動軸Ｂと、被処理水内に配置されるとともに上記駆動軸Ｂから放射状に延びる四枚の攪拌羽根１と、この攪拌羽根１に取り付けられて水圧モータ２で回転駆動される回転体３とを備えている。
【００１４】
そして、本実施の形態において、上記各攪拌羽根１は、進行方向（矢印Ｘ）に向かって垂直に起立している。また、各攪拌羽根１には、駆動軸側から反駆動軸側にかけて攪拌羽根１の肉厚を貫通する複数の取り付け孔１０が列設されており、各取り付け孔１０に水圧モータ２及び回転体３がそれぞれ取り付けられている。
【００１５】
つづいて、上記回転体３は、図２に示すように、保持部材４を介して攪拌羽根１に取り付けられており、回転軸３０と、この回転軸３０の端部に取り付けられるヘッド部３１とからなる。
【００１６】
また、上記保持部材４は、上記攪拌羽根１の進行方向（矢印Ｘ）側に固定される連結片４０と、この連結片４０の反進行方向側に延びて水圧モータ２を保持するハウジング４１とを備えている。さらに、上記連結片４０には、ヘッド部３１が進行方向を向くように回転軸３０が回転可能に軸支されており、この回転軸３０の反ヘッド部側端部が水圧モータ２の出力軸２０とカップリング５を介して連結されている。
【００１７】
また、上記水圧モータ２は、図示しないが、供給ポートから排出ポートにかけて流れる水の圧力で出力軸２０を回転し、回転体３を駆動するものであり、歯車モータ、ベーンモータ、ピストンモータなど、適宜周知の構成を採用することが可能である。また、供給ポートに供給される水は、攪拌槽Ａの外部に設置される図示しない供給源から供給されているが、排出ポートから排出される水は、上記供給源に戻されるとしても、攪拌槽Ａ内に排出されるとしても良い。
【００１８】
つづいて、上記回転体３のヘッド部３１は、図３に示すように、回転軸３０の略中央から放射状に延びる四枚の補強板６ａ〜６ｄと、環状に形成されて内側に回転軸３０が貫通するとともに上記各補強板６ａ〜６ｄの反回転軸側端部がそれぞれ連結される環状板７と、この環状板７から上記回転軸３０の先端に向けて斜めに配置される四枚の傾斜板８ａ〜８ｄとからなり、上記ヘッド部３１は略円錐状に形成されて、その尖端が攪拌羽根１の進行方向（矢印Ｘ）を向いている。
【００１９】
また、各傾斜片８ａ〜８ｄにおいて、攪拌羽根１の進行方向（矢印Ｘ）及び反進行方向側の面８０よりも、回転体３の回転方向（矢印Ｙ）及び反回転方向側の面８１の方が広く設定されている。
【００２０】
さらに、本実施の形態において、上記回転体３及び上記保持部材４は、強度部材からなり、攪拌槽Ａ内に不純物が沈殿し堆積してできた固着物にヘッド部３１が当接したとき、回転しているヘッド部３１で固着物を粉砕することができる強度に設定されている。また、上記水圧モータ２は、固着物を粉砕可能なトルクを得られるよう設定されている。
【００２１】
次に、本実施の形態に係る攪拌装置の作用効果について説明する。本実施の形態において、攪拌装置は、攪拌羽根１と、この攪拌羽根１に取り付けられる回転体３とを備えているため、従来よりも確実に被処理水を攪拌して不純物の沈殿及び固着を抑制することができる。
【００２２】
また、上記回転体３は、水圧モータ２で駆動されるため、この水圧モータ２から排出される水で被処理水を汚染する心配がない。
【００２３】
また、回転体３を備えていない従来の攪拌装置では、攪拌槽Ａ内の固着物に衝突して攪拌羽根の回転が停止した場合には、攪拌槽Ａの浚渫作業が必要になるが、本実施の形態においては、攪拌羽根１に取り付けられた回転体３で固着物を粉砕することができるため、浚渫作業が不要となる。
【００２４】
また、本実施の形態において、上記回転体３は、水圧モータ２の出力軸２０に連結される回転軸３０と、この回転軸３０の端部に取り付けられるヘッド部３１とを備えており、このヘッド部３１が攪拌羽根１の進行方向（矢印Ｘ）を向くように配置されることから、攪拌羽根１の進行方向にある固着物を回転体３で粉砕し、固着物が攪拌羽根１の回転の妨げとなることを防止することが可能となる。
【００２５】
また、本実施の形態において、上記ヘッド部３１が回転軸３０から放射状に延びる複数の補強板６ａ〜６ｄと、環状に形成されて内側に上記回転軸３０が貫通するとともに各補強板６ａ〜６ｄの反回転軸側端部に連結される環状板７と、この環状板７から回転軸３０の先端にかけて斜めに配置される複数の傾斜板８ａ〜８ｄとからなる。
【００２６】
さらに、各傾斜片８ａ〜８ｄにおいて、攪拌羽根１の進行方向（矢印Ｘ）及び反進行方向側の面８０よりも、回転体３の回転方向（矢印Ｙ）及び反回転方向側の面８１の方が広く設定されるため、ヘッド部３１を回転させたとき、効率的に被処理水を攪拌するとともに、固着物を粉砕することができる。
【００２７】
以上、本発明の好ましい実施の形態を説明したが、特許請求の範囲から逸脱することなく改造、変形及び変更を行うことができることは理解すべきである。
【００２８】
例えば、上記実施の形態において、攪拌装置は、四枚の攪拌羽根１を備え、各攪拌羽根１に三個ずつ回転体３及び水圧モータ２が取り付けられているが、攪拌羽根１の数や回転体３及び水圧モータ２を取り付ける数は適宜変更することが可能であり、複数の攪拌羽根１を備えている場合、回転体３や水圧モータ２が取り付けられていない攪拌羽根があっても良い。
【００２９】
また、上記実施の形態において、回転体３が被処理水を攪拌するとともに、固着物を粉砕することができるが、被処理水を攪拌するのみであっても良く、固着物以外の例えば石等を粉砕可能であるとしても良い。
【００３０】
また、上記実施の形態において、上記回転体３は、攪拌羽根１の進行方向（矢印Ｘ）を向いているが、回転体３の向きや形状も適宜変更することが可能である。
【００３１】
また、上記実施の形態において、回転体３の回転軸３０は、カップリング５を介して水圧モータ２の出力軸２０と連結されているが、この出力軸２０にヘッド部３１が取り付けられ、出力軸２０が本実施の形態の回転軸３０として機能するとしても良い。
【００３２】
また、上記実施の形態において、攪拌羽根１が取り付けられる駆動軸Ｂは、図示しない駆動源からの電気エネルギの供給を受けて回転するが、上記回転体３が回転するときに推進力を発生させて、この推進力で攪拌羽根１が回転するとしても良い。
【符号の説明】
【００３３】
Ａ  攪拌槽
Ｂ  駆動軸
１  攪拌羽根
２  水圧モータ
３  回転体
４  保持部材
５  カップリング
６ａ〜６ｄ  補強板
７  環状板
８ａ〜８ｄ  傾斜板
１０  取り付け孔
３０  回転軸
３１  ヘッド部
４０  連結片
４１  ハウジング
【図１】
0005902951.tif 000002
【図２】
0005902951.tif 000003
【図３】
0005902951.tif 000004